(57)【要約】
【課題】　ブースタ部のスイッチダイオードとＶＨＦアンテナ同調回路のスイッチダイオードとに共通のバイアス回路からバイアス電圧を印加することで回路構成を簡単にする。
【解決手段】　バイパス回路３にはオン又はオフに切り替えられる第一のスイッチダイオード３ａを設け、チューナ部９のアンテナ同調回路１０にはオン又はオフに切り替えられてこれをＶＨＦ帯のハイバンドまたはローバンドに同調するように切り替えるための第二のスイッチダイオード１０ｆと第二のスイッチダイオード１０ｆのアノードにバイアス電圧を供給するバイアス回路１０ｇとを設け、バイアス回路１０ｇから第一のスイッチダイオード３ａのアノードにバイアス電圧を供給した。
【選択図】　　　　図１
0003100212.tif 000002
【実用新案登録請求の範囲】
【請求項１】
第一の広帯域増幅器とバイパス回路とを有し、入力されたテレビジョン信号を前記第一の広帯域増幅器によって増幅して出力するか又は前記バイパス回路によって増幅せずに出力するブースタ部と、前記ブースタ部の次段に接続されるチューナ部とを備え、前記バイパス回路にはオン又はオフに切り替えられてオン時に前記テレビジョン信号を通過する第一のスイッチダイオードを設け、前記チューナ部はＶＨＦ帯のテレビジョン信号に同調するアンテナ同調回路を少なくとも有し、前記アンテナ同調回路にはオン又はオフに切り替えられてこれをＶＨＦ帯のハイバンドまたはローバンドに同調するように切り替えるための第二のスイッチダイオードと前記第二のスイッチダイオードのアノードにバイアス電圧を供給するバイアス回路とを設け、前記バイアス回路から前記第一のスイッチダイオードのアノードに前記バイアス電圧を供給したことを特徴とするテレビジョンチューナ。
【請求項２】
前記ブースタ部と前記チューナ部との間に分配器と、前記分配器の一方の出力端に接続された第二の広帯域増幅器とを介挿し、前記第二の広帯域増幅器に前記バイアス回路から前記バイアス電圧を供給したことを特徴とする請求項１に記載のテレビジョンチューナ。
【請求項３】
前記第二の広帯域増幅器は増幅用トランジスタを有し、前記第一のスイッチダイオードのアノードを前記分配器の入力端に接続し、前記分配器の前記一端を前記増幅用トランジスタのベースに接続し、前記アンテナ同調回路は同調用の複数のインダクタンス素子を有し、前記バイアス回路からのバイアス電圧を前記インダクタンス素子を介して前記第二のスイッチダイオードのアノードに印加すると共に前記増幅用トランジスタのベースに印加したことを特徴とする請求項２に記載のテレビジョンチューナ。
【考案の詳細な説明】
【技術分野】
【０００１】
　本考案は、ブースタ部とチューナ部とを有し、ブースタ部によって増幅したテレビジョン信号をチューナ部に入力するようにしたテレビジョンチューナに関する。
【背景技術】
【０００２】
　図２は従来のテレビジョンチューナの構成を示す。ブースタ部１は広帯域増幅器２とバイパス回路３とを有し、アンテナ（図示せず）からアンテナ接続端子５に入力されたテレビジョン信号はフィルタ４を介して広帯域増幅器２及びバイパス回路３に供給される。
【０００３】
　広帯域増幅器２は増幅素子（ＦＥＴ）２ａとその入力側に設けられたスイッチダイオード２ｂと出力側に設けられたスイッチダイオード２ｃとを有し、入力側のスイッチダイオード２ｂはフィルタ回路４と増幅素子２ａとの間に結合され、出力側のスイッチダイオード２ｃは増幅素子２ａと出力端６との間に結合される。そして、バイパス回路３のスイッチダイオード３ａはそのアノードが入力側のスイッチダイオード２ｂのカソードに接続され、スイッチダイオード３ａのカソードは出力側のスイッチダイオード２ｃのカソードに接続される。
【０００４】
　スイッチダイオード２ｂのカソード及びスイッチダイオード３ａのアノードには電源端子１６に接続された抵抗Ｒ１と接地された抵抗Ｒ２とによってバイアス電圧が印加される。また、スイッチダイオード２ｃのカソードとスイッチダイオード３ａのカソードは抵抗Ｒ３によって接地される。そして、増幅素子２ａのドレインには電源端子１６から電圧が供給される。また、バンドデコーダ８には電源端子７から電圧が供給され、その出力端からスイッチダイオード２ｂのアノードとスイッチダイオード２ｃのアノードに切替電圧が供給される。
【０００５】
　バンドデコーダ８からハイの切替電圧が供給されると増幅素子２ａの前後に設けられた二つのスイッチダイオード２ｂ、２ｃがオンとなるとともに、増幅素子２ａのゲートにもバイアス電圧が印加され、テレビジョン信号は増幅されて出力端子６に出力される。このとき、スイッチダイオード３ａのカソードの電位が高くなるのでスイッチダイオード３ａはオフとなる。また、バンドデコーダ８からローの切替電圧が供給されると増幅素子２ａの前後に設けられた二つのスイッチダイオード２ｂ、２ｃがオフとなるとともに、増幅素子２ａのゲートにもバイアス電圧が印加されないので、テレビジョン信号は増幅されない。このとき、スイッチダイオード３ａのカソードの電位が低いのでスイッチダイオード３ａはオンとなり、テレビジョン信号はバイパス回路３を介して出力端６に出力される。
【０００６】
　ブースタ部１の出力端６にはチューナ部９が接続され、出力端６から出力されるテレビジョン信号はＶＨＦアンテナ同調回路１０ｖとＵＨＦアンテナ同調回路１０ｕに入力される。ＶＨＦアンテナ同調回路１０ｖから出力されるＶＨＦ帯のテレビジョン信号はＶＨＦ混合器（ＶＨＦＭＩＸ）１３ｖによって中間周波信号に変換され、ＵＨＦアンテナ同調回路１０ｕから出力されるＵＨＦ帯のテレビジョン信号はＵＨＦ混合器（ＵＨＦＭＩＸ）１３ｕによって中間周波信号に変換される。各中間周波信号は中間周波増幅器（ＩＦＡＭＰ）１４によって増幅されて出力端子１５に出力される。
【０００７】
　ここで、図示はしないが、ＶＨＦアンテナ同調回路１０ｖの内部にはスイッチダイオードと、このスイッチダイオードのアノードにバイアス電圧を供給するためのバイアス電圧回路とが設けられており、このスイッチダイオードのカソードにハイ又はローの切替電圧を印加することによってオン又はオフさせてＶＨＦアンテナ同調回路１０ｖがＶＨＦ帯のハイバンドまたはローバンドに同調するように切り替えられる（例えば、特許文献１参照。）。
【０００８】
【特許文献１】特開２００２−２６１５０１号公報（図１）
【考案の開示】
【考案が解決しようとする課題】
【０００９】
　従来の構成では、ブースタ部１に抵抗Ｒ１とＲ２とからなるバイアス回路を設けてバイパス回路３のスイッチダイオードに３ａにバイアス電圧を供給し、さらにチューナ部９のＶＨＦアンテナ同調回路１０ｖにもバイアス回路を設けてＶＨＦアンテナ同調回路１０ｖないのスイッチダイオードのバイアス電圧を供給している。そのため、複数のバイアス回路を使用することになって部品数が増加すると共に全体の構成が複雑となっていた。
【００１０】
　本考案は、ブースタ部のスイッチダイオードとＶＨＦアンテナ同調回路のスイッチダイオードとに共通のバイアス回路からバイアス電圧を印加することで回路構成を簡単にすることを目的とする。
【課題を解決するための手段】
【００１１】
　本考案は上記課題の解決のために、第一の広帯域増幅器とバイパス回路とを有し、入力されたテレビジョン信号を前記第一の広帯域増幅器によって増幅して出力するか又は前記バイパス回路によって増幅せずに出力するブースタ部と、前記ブースタ部の次段に接続されるチューナ部とを備え、前記バイパス回路にはオン又はオフに切り替えられてオン時に前記テレビジョン信号を通過する第一のスイッチダイオードを設け、前記チューナ部はＶＨＦ帯のテレビジョン信号に同調するアンテナ同調回路を少なくとも有し、前記アンテナ同調回路にはオン又はオフに切り替えられてこれをＶＨＦ帯のハイバンドまたはローバンドに同調するように切り替えるための第二のスイッチダイオードと前記第二のスイッチダイオードのアノードにバイアス電圧を供給するバイアス回路とを設け、前記バイアス回路から前記第一のスイッチダイオードのアノードに前記バイアス電圧を供給した。
【００１２】
　また、前記ブースタ部と前記チューナ部との間に分配器と、前記分配器の一方の出力端に接続された第二の広帯域増幅器とを介挿し、前記第二の広帯域増幅器に前記バイアス回路から前記バイアス電圧を供給した。
【００１３】
　また、前記第二の広帯域増幅器は増幅用トランジスタを有し、前記第一のスイッチダイオードのアノードを前記分配器の入力端に接続し、前記分配器の前記一端を前記増幅用トランジスタのベースに接続し、前記アンテナ同調回路は同調用の複数のインダクタンス素子を有し、前記バイアス回路からのバイアス電圧を前記インダクタンス素子を介して前記第二のスイッチダイオードのアノードに印加すると共に前記増幅用トランジスタのベースに印加した。
【考案の効果】
【００１４】
　本考案では、バイパス回路にはオン又はオフに切り替えられてオン時にテレビジョン信号を通過する第一のスイッチダイオードを設け、チューナ部のアンテナ同調回路にはオン又はオフに切り替えられてこれをＶＨＦ帯のハイバンドまたはローバンドに同調するように切り替えるための第二のスイッチダイオードと第二のスイッチダイオードのアノードにバイアス電圧を供給するバイアス回路とを設け、バイアス回路から第一のスイッチダイオードのアノードにバイアス電圧を供給したので、バイアス回路が共用できる。よって、ブースタ付きのテレビジョンチューナの構成が簡単になる。
【００１５】
　また、ブースタ部とチューナ部との間に分配器と、分配器の一方の出力端に接続された第二の広帯域増幅器とを介挿し、第二の広帯域増幅器にバイアス回路からバイアス電圧を供給したので、第二の広帯域増幅器に専用のバイアス回路を設ける必要がない。
【００１６】
　また、第二の広帯域増幅器は増幅用トランジスタを有し、第一のスイッチダイオードのアノードを分配器の入力端に接続し、分配器の一端を増幅用トランジスタのベースに接続し、アンテナ同調回路は同調用の複数のインダクタンス素子を有し、バイアス回路からのバイアス電圧を前記インダクタンス素子を介して第二のスイッチダイオードのアノードに印加すると共に増幅用トランジスタのベースに印加したので、バイアス回路から第二の広帯域増幅器のトランジスタと第二の第一のスイッチダイオードとにバイアス電圧が印加できる。
【考案を実施するための最良の形態】
【００１７】
　以下、図１に従って本考案のテレビジョンチューナを説明する。ブースタ部１は第一の広帯域増幅器２とバイパス回路３とを有し、図示しないアンテナからアンテナ接続端子５に入力されたテレビジョン信号はフィルタ４を介して第一の広帯域増幅器２及びバイパス回路３に供給される。
【００１８】
　第一の広帯域増幅器２は増幅用の第一のトランジスタ２ａを有し、そのベースはフィルタ４に結合される。また、コレクタはチョークインダクタ２ｂを介して電源供給用のスイッチトランジスタ（ＰＮＰ型）２１のコレクタに接続されると共に分配器２２の入力端に結合される。そして、第一のトランジスタ２ａのベースにはそのコレクタから抵抗２ｃ等を介して電圧が供給される。ベースは抵抗２ｄによって接地される。バイパス回路３は第一のスイッチダイオード３ａを有し、そのカソードがフィルタ４に結合されると共に抵抗３ｂを介してスイッチトランジスタ２１のコレクタに接続される。また、アノードは分配器２２の入力端に直流的に接続される。スイッチトランジスタ２１のエミッタは電源端子７に接続される。
【００１９】
　分配器２２は分配トランスによって構成され、その一方の出力端は第二の広帯域増幅器２３を構成する増幅用の第二のトランジスタ２３ａのベースに直流的に接続される。分配器２２の他方の出力端は分配端子２４に接続される。分配端子２４には他のテレビジョンチューナ（図示せず）が接続される。第二のトランジスタ２３ａのコレクタはインダクタンス素子２３ｃを介して電源端子７に接続されると共にブースタ出力端子６に結合される。第二のトランジスタ２３ａのベースとブースタ出力端子６との間には抵抗２３ｂが接続される。
【００２０】
　ブースタ部１にはチューナ部９が接続される。チューナ部９はＶＨＦアンテナ同調回路１０、ＵＨＦアンテナ同調回路（図示せず）、スイッチ回路２５等を有する。ＶＨＦアンテナ同調回路１０は直列接続された四つのインダクタンス素子１０ａ〜１０ｄと、これら全体に並列接続されたバラクタダイオード１０ｅと、中間に設けられた二つのインダクタンス素子１０ｂ、１０ｃに跨って並列接続された第二のスイッチダイオード１０ｆと、バイアス回路１０ｇとを有する。そして、二つのインダクタンス素子１０ｂ、１０ｃの接続点がブースタ出力端子６に接続される。バイアス回路１０ｇは電源端子１６に印加された電圧を分圧する二つの抵抗Ｒ１及びＲ２から構成される。二つの電源端子７、１６は相互に接続される。
【００２１】
　そして、第二のスイッチダイオード１０ｆのアノードにはバイアス回路１０ｇによって分圧されたバイアス電圧がインダクタンス素子１０ａ〜１０ｃを介して供給される。第二のスイッチダイオード１０ｆのカソードはスイッチ回路２５の一方の出力端２５ａに接続され、また、スイッチトランジスタ２１のベースはスイッチ回路２５の他方の出力端２５ｂに接続される。電源端子１６からスイッチ回路２５に電源電圧が印加され、スイッチ回路２５にはそれぞれの出力端の電圧をハイ又はローに切り替えるためのデータＤが入力される。
【００２２】
　以上の構成によれば、バイアス回路１０ｇによって作られたバイアス電圧はブースタ出力端子６から第二のトランジスタ２３ａのベースに供給され、さらに、分配器２２を介して第一のスイッチダイオード３ａのアノードに供給される。
【００２３】
　そして、スイッチ回路２５の一方の出力端２５ａがハイになれば第二のスイッチダイオード１０ｆがオフとなり、ＶＨＦアンテナ同調回路１０はＶＨＦ帯のローバンドに同調するように切り替えられ、ローになれば第二のスイッチダイオード１０ｆがオンとなってＶＨＦ帯のハイバンドに同調するように切り替えられる。
【００２４】
　また、スイッチ回路２５の他方の出力端２５ｂがハイになればスイッチトランジスタ２１はオフとなって第一のトランジスタ２ａのコレクタにはスイッチトランジスタ２１からは電圧が供給されず、第一のスイッチダイオード３ａはカソードから抵抗３ｂ、インダクタ２ｂ、抵抗２ｃ、２ｄを介して電流が流れてオンとなる。このとき、第一のトランジスタ２ａのコレクタには微少の電圧が印加されるが利得はほとんどない。よって、ブースタ部１に入力されたテレビジョン信号はバイパス回路３を介してＶＨＦアンテナ同調回路１０に入力される。
【００２５】
　しかし、スイッチ回路２５の他方の出力端２５ｂがローになれば、スイッチトランジスタ２１はオンとなり、第一のトランジスタ２ａのコレクタにはスイッチトランジスタ２１から電源電圧が供給され、同時に第一のスイッチダイオード３ａはオフとなる。よってテレビジョン信号は広帯域増幅器２によって増幅されてＶＨＦアンテナ同調回路１０に入力される。
【図面の簡単な説明】
【００２６】
【図１】本考案のテレビジョンチューナの構成を示す回路図である。
【図２】従来のテレビジョンチューナの構成を示す回路図である。
【符号の説明】
【００２７】
　１：ブースタ部
　２：第一の広帯域増幅器
　２ａ：第一のトランジスタ
　２ｂ：チョークインダクタ
　２ｃ、２ｄ：抵抗
　３：バイパス回路
　３ａ：第一のスイッチダイオード
　３ｂ：抵抗
　４：フィルタ
　５：アンテナ接続端子
　６：ブースタ出力端子
　７、１６：電源端子
　９：チューナ部
　１０：ＶＨＦアンテナ同調回路
　１０ａ〜１０ｄ：インダクタンス素子
　１０ｅ：バラクタダイオード
　１０ｆ：第二のスイッチダイオード
　１０ｇ：バイアス回路
　２１：スイッチトランジスタ
　２２：分配器
　２３：第二の広帯域増幅器
　２３ａ：第二のトランジスタ
　２３ｂ：抵抗
　２３ｃ：インダクタンス素子
　２４：分配端子
　２５：スイッチ回路
【図１】
0003100212.tif 000003
【図２】
0003100212.tif 000004